(57)【要約】【課題】作業者が実験や作業を行うための作業空間内に、空気を低風量ドラフトで通過させて、ドラフトチャンバー内の雰囲気が外部に漏れないようにすることができる低風量ドラフトチャンバーを提供する。【解決手段】低風量ドラフトチャンバー１は、作業空間２０で作業を行うために低風量の空気を作業空間２０に送る低風量ドラフトチャンバーであり、作業空間２０に空気を送るファン３０と、作業空間２０との間には、ファン３０からの空気を整流する整流手段としての整流部材４０が設けられている。【選択図】図５
2015009187.tif 000002
【特許請求の範囲】
【請求項１】
作業空間で作業を行うために、低風量の空気を前記作業空間に送る低風量ドラフトチャンバーであって、
前記作業空間に空気を送るファンと、前記作業空間との間には、前記ファンからの空気を整流する整流手段が設けられていることを特徴とする低風量ドラフトチャンバー。
【請求項２】
前記作業空間は、作業面を有していることを特徴とする請求項１に記載の低風量ドラフトチャンバー。
【請求項３】
前記ファンと前記整流手段との間には、空気溜まりが設けられていることを特徴とする請求項１または２に記載の低風量ドラフトチャンバー。
【請求項４】
前記整流手段は、ハニカム構造を有していることを特徴とする請求項１ないし３のいずれかに記載の低風量ドラフトチャンバー。
【発明の詳細な説明】
【技術分野】
【０００１】
本発明は、作業空間を用いて実験や作業を行う際に、空気を低風量ドラフトで通過させる低風量ドラフトチャンバーに関する。
【背景技術】
【０００２】
まず、ドラフトチャンバーとは化学実験等を行う作業者を有害な雰囲気から保護をする局所排気装置のことを指し、使用される薬品や用途により幾つかの法規制が適用される。
【０００３】
この法規制は、一般的には実験作業を行う開口部分の排気風速を確保することにより満たされるものであり、定められた排気風速を維持する事により、有害な雰囲気が局所排気装置（具体的には、ドラフトチャンバー）から作業者の側に漏洩しない様になる。
【０００４】
このような、その作業空間において作業者により器具類を用いて実験や作業を行うドラフトチャンバーは、特許文献１に開示されている。
【０００５】
特許文献１のドラフトチャンバーでは、送風装置が、ドラフトチャンバーの処理室の前面開口部を開閉する前面扉の上方に、外付けで設けられている。この送風装置は、前面扉の開閉動作に応じて、処理室の前面開口部へ向かってエアーカーテン用に空気の吹き出しを行うようになっている。
【０００６】
この送風装置の吹出口にはハニカムコアからなる空気整流部材が設けられており、空気はハニカムコアを通過することで、空気が送風装置の吹出口全体に均一の流量、風速に整流されるようになっている。
【先行技術文献】
【特許文献】
【０００７】
【特許文献１】実開平６−５７４２６号公報
【発明の概要】
【発明が解決しようとする課題】
【０００８】
ところで、特許文献１のドラフトチャンバーでは、空気は、エアーカーテン用に送風装置の吹出口に設けられたハニカムコアを通過するだけで、空気が送風装置の吹出口全体において均一の流量、風速に整流されるだけである。
【０００９】
一方、近年はエネルギーコスト低減を目的として、少ないランニングコストで局所排気装置（ドラフトチャンバー）の運転が出来る事を望まれている。その様な市場のニーズにより、排気風量を少なくして一般的なドラフトチャンバーよりも低い前面風速で有害な雰囲気の漏洩防止が可能となる製品開発が行われている。
【００１０】
その為には、低い前面風速においても局所排気装置内から有害な雰囲気が漏洩しない様に、効率よい排気経路の形成やスムーズな気流の制御技術が必要となる。
【００１１】
本発明は、上記に鑑みてなされたもので、その目的とするところは、作業者が実験や作業を行うための作業空間内に、空気を低風量ドラフトで通過させて、ドラフトチャンバー内の雰囲気が外部に漏れないようにすることができる低風量ドラフトチャンバーを提供することにある。
【課題を解決するための手段】
【００１２】
上記課題を達成するため、請求項１に記載の低風量ドラフトチャンバーは、作業空間で作業を行うために、低風量の空気を前記作業空間に送る低風量ドラフトチャンバーであって、前記作業空間に空気を送るファンと、前記作業空間との間には、前記ファンからの空気を整流する整流手段が設けられていることを要旨とする。
【００１３】
請求項１の記載の低風量ドラフトチャンバーでは、作業者が実験や作業を行うための作業空間内に、空気を低風量ドラフトで通過させて、ドラフトチャンバー内の雰囲気が外部に漏れないようにすることができる。
【００１４】
請求項２に記載の低風量ドラフトチャンバーでは、前記作業空間は、作業面を有している。
【００１５】
請求項２の記載の低風量ドラフトチャンバーでは、作業面における作業は、空気を低風量ドラフトで通過させた状態で行うことができる。
【００１６】
請求項３に記載の低風量ドラフトチャンバーは、前記ファンと前記整流手段との間には、空気溜まりが設けられている。
【００１７】
請求項３の記載の低風量ドラフトチャンバーでは、ファンが発生する空気の気流は、空気の空気溜まりで一度溜められた後、空気の気流の流速を上げて送ることができ、流速を上げた空気の気流を整流部材に通過させることができる。
【００１８】
請求項４に記載の低風量ドラフトチャンバーでは、前記整流手段は、ハニカム構造を有している。
【００１９】
請求項４の記載の低風量ドラフトチャンバーでは、整流手段は、プッシュエアーを均質化するのに用いられる。整流手段の構造例として六角形のハニカム構造を採用することにより、構造的に強度が見込め、組立時に加わる外力に対す変形についても強い。
【発明の効果】
【００２０】
本発明によれば、作業者が実験や作業を行うための作業空間内に、空気を低風量ドラフトで通過させて、ドラフトチャンバー内の雰囲気が外部に漏れないようにすることができる低風量ドラフトチャンバーを提供できる。
【図面の簡単な説明】
【００２１】
【図１】本発明の低風量ドラフトチャンバーの実施形態を示す正面図である。
【図２】図１に示す低風量ドラフトチャンバーのＡ−Ａ線における内部構造例を示す断面図である。
【図３】図２に示す低風量ドラフトチャンバーの内部構造例において、低風量の空気供給例を示す矢印Ｌの気流、矢印ＬＬで示す均質化された空気の気流、矢印Ｍの気流、矢印Ｎの気流を付加した断面図である。
【図４】図３に示す低風量ドラフトチャンバーの円形部分Ｒの詳細構造例を示す図である。
【図５】図４に示すドラフト庫内における矢印Ｌの気流、矢印ＬＬで示す均質化された空気の気流、矢印Ｍの気流、矢印Ｎの気流をより詳細に示す図である。
【図６】図４と図５に示す整流部材の好ましい構造例を示す図である。
【図７】本発明の別の実施形態を示す図である。
【図８】本発明における効果を説明するための図である。
【発明を実施するための形態】
【００２２】
以下、図面を用いて、本発明を実施するための形態(以下、実施形態と称する)を説明する。
【００２３】
図１は、本発明の低風量ドラフトチャンバーの実施形態を示す正面図である。図２は、図１に示す低風量ドラフトチャンバー１のＡ−Ａ線における内部構造例を示す縦方向の断面図である。
【００２４】
図１と図２に示す低風量ドラフトチャンバー１は、研究者や実験者等の作業者が例えば微生物等の試料の無菌操作作業や化学実験作業等、器具類を用いて実験や作業を行うために用いられる。低風量ドラフトチャンバー１は、実験や作業における被処理物を内部の作業空間において処理する際に、作業者が被処理物の影響を受けないように、内部の作業空間の雰囲気を外部から隔離する構造を有している。この低風量ドラフトチャンバー１は、作業者を有害物質から保護することを目的とした局所排気装置であり、危険物質や有害物質の封じ込め機能と、排気機能を有した囲われた作業空間を持っている。
【００２５】
図１と図２の低風量ドラフトチャンバー１は、空気の通常の風量ドラフトを作業空間内に送るいわゆる標準ドラフトチャンバーに比較して、空気の低風量ドラフトを内部の作業空間内に送ることができるようになっている。これにより、低風量ドラフトチャンバー１は、従来の通常ドラフトに比べて少ない風量ドラフトで運転して安全性を確保できる。この安全性とは、ドラフト庫内の危険雰囲気が、ドラフト庫内から外部に漏れてこないことである。
【００２６】
このように、低風量ドラフトチャンバー１内の作業空間内に低風量ドラフトで空気を送ることで、通常の風量ドラフトを作業空間内に送る場合に比べて、低風量ドラフトチャンバー１の作動時の省エネルギー化（エコ化）や、低騒音化を図ることができる。すなわち、低風量ドラフトチャンバー１は、風量ドラフト運転エネルギーの低減を図っており、空気の低い風量ドラフトにより空気の低排気量となることから、低ランニングコストが得られる。
【００２７】
低い空気の風速下では、外乱等により低風量ドラフトチャンバー１内の作業空間内の雰囲気が、低風量ドラフトチャンバー１の外部に漏れ易くなる。このような状況では、低風量ドラフトチャンバー１内の作業空間、特に作業面上に滞留している雰囲気（例えば有害ガス）が低風量ドラフトチャンバー１の外部に漏れる量は、低風量ドラフトチャンバー１内の作業空間内に押し込まれるプッシュエアーの質により左右される。このプッシュエアーの質とは、空気を作業空間内に均一に分散して均質流として送ることができる程度をいう。
【００２８】
低風量ドラフトチャンバー１内のドラフト庫内の作業空間内に押し込まれるプッシュエアーを低風量化する場合には、ドラフト庫内には作業空間内に押し込まれるプッシュエアーと作業空間内から押し出されるプルエアーを形成する必要がある。このため、低風量ドラフトチャンバー１では、プッシュエアーをドラフト庫内の作業空間内に送り込む機構が必要になる。そこで、プッシュエアーの質、すなわち均質流のプッシュエアーの送り込みが、低風量ドラフトチャンバーの性能確保に大きく影響する。
【００２９】
そこで、図１と図２を参照して、低風量ドラフトチャンバー１の構造例を説明する。
【００３０】
低風量ドラフトチャンバー１は、箱状の囲い部分である本体部２を有し、この本体部２の前面部３には、前面開口部４が設けられている。この前面開口部４には、開閉シャッタ５が設けられている。この開閉シャッタ５は前面開口部４内が見えるように透明板である。この開閉シャッタ５は、図１では図示しない駆動部のモータを駆動することで、電動によりＺ方向（上下方向）に移動可能にすることで、開閉シャッタ５は、前面開口部４を開閉可能である。
【００３１】
図１と図２に示すように、本体部２は、前面部３と、左右の壁面６，７と、背面部８と、天井面９と、底面１０を有している。本体部２では、例えば空気から微粒子を除去する例えばＨＥＰＡフィルタ（高性能フィルタ）等で空気を清浄化して外部に排気し続けるようになっており、前面開口部４を通じて本体部２の内部からＨＥＰＡフィルタを通して屋外等の外部に向かって空気が吹き出す。
【００３２】
図１と図２に示すように、本体部２の内部には、ドラフト庫内１９が形成されている。このドラフト庫内１９は、作業空間２０を有している。この作業空間２０は、卓状の作業面２１を有している。作業空間２０では、例えば天井面９の内面には照明器具が取り付けられている。
【００３３】
図１に示すように、ドラフト庫内１９の作業空間２０は、本体部２の左右幅方向（Ｘ方向）に沿って形成され、しかも図２に示すように、本体部２の前後幅方向（Ｙ方向）に沿って形成されている閉鎖空間である。図２に示すように、作業空間２０の作業面２１は、作業空間２０の下面部であり、作業者が作業用の椅子に座った状態で手指を入れて作業できる高さに設けられている。
【００３４】
図１と図２に示すように、本体部２の前面部３には、ドラフトのエプロン部分（空気ロホイル部分）２２が設けられている。このエプロン部２２は、ファン３０により作られたプッシュエアーを、本体部２の外部に漏れないようにして作業面２１側に送り込むための閉鎖型の通路である。このエプロン部分２２の下部には、空間部ＳＰが設けられている。この空間部ＳＰには、作業用の椅子に座った作業者の膝が入れるようになっている。
【００３５】
図３は、図２に示す低風量ドラフトチャンバー１のＡ−Ａ線における内部構造例において、さらに低風量の空気供給を示す矢印Ｌの気流、矢印ＬＬで示す均質化された空気の気流、矢印Ｍの気流、矢印Ｎの気流を付加して示す断面図である。
【００３６】
図３に示す矢印Ｌの気流と矢印ＬＬで示す均質化された空気の気流は、ドラフト庫内１９の作業空間２０の作業面２１上に、空気の層流を作るために人為的に発生させているプッシュエアーの気流を示している。矢印Ｍは、外部の空気をドラフト庫内１９内に取り込むプッシュエアーの気流を示している。さらに、矢印Ｎは、ドラフト庫内１９から排気するプルエアーの気流を示している。
【００３７】
図４は、図３に示す低風量ドラフトチャンバー１のドラフト庫内１９における円形部分Ｒの詳細を示す図である。図５は、図４に示すドラフト庫内１９における矢印Ｌの気流、矢印ＬＬで示す均質化された空気の気流、矢印Ｍの気流、矢印Ｎの気流を、より詳細に示す図である。なお、ドラフト庫内１９においては、矢印Ｌの気流、矢印ＬＬで示す均質化された空気の気流、矢印Ｍの気流は、プッシュエアーであり、矢印Ｎの気流は、プルエアーである。
【００３８】
まず、図３と図４を参照して、低風量ドラフトチャンバー１のドラフト庫内１９付近の構造例を説明する。
【００３９】
図３と図４に示すように、本体部２のドラフト庫内１９には、前面部３と背面部８と左右の側面部７，８の間に、作業空間２０が形成されている。作業空間２０の下面部が作業面２１である。この作業面２１は、図１に示す本体部２の左右幅方向（Ｘ方向）と図３に示す本体部２の前後幅方向（Ｙ方向）に沿って形成されている面である。作業者は、この作業面２１の上で、必要な作業を行うことができる。
【００４０】
図５に示すように、作業面２１の下部には、ファン３０が設けられている。このファン３０は、作業面２１上に空気の層流を作るために気流を発生させる電動の気流発生手段である。
【００４１】
図１と図５に示すように、作業面２１の前側部分には、Ｘ方向に沿ってドラフト庫内１９のエプロン部分（空気ロホイル部分）２２が設けられている。このエプロン部分２２は、図５に示すように、ファン３０により作られた矢印Ｌの気流と矢印ＬＬで示す均質化された空気の気流を、本体部２の外部に漏れないようにして、作業面２１側に送り込むための閉鎖型の通路である。
【００４２】
エプロン部分２２の上側には、前面部３の下部の位置において、空気の分岐部５５が形成されている。空気の分岐部５５がエプロン部分２２に設けられていると、ファン３０から送られてくる矢印Ｌの気流を、整流部材４０により整流して矢印ＬＬで示す均質化された空気の気流（層流気流）とした後の一部を分岐することができる。これにより、矢印ＬＬで示す均質化された空気の気流（層流気流）は、作業面２１上に層流を形成する矢印ＬＬで示す均質化された空気の気流と、ドラフト庫内１９の中央付近へのプッシュエアーの気流と、に分岐することができる。
【００４３】
空気の分岐部５５は、折角発生させたプッシュエアーを分岐させて、作業面２１上に層流を形成する気流を減量させてしまうことにはなるが、分岐させてドラフト庫内１９の中央付近へ斜め上方にプッシュエアーを押し込むことにより、ドラフト庫内１９内の雰囲気が外部に漏れることを抑える効果がある。この斜め上方へのプッシュエアーの供給が、低風量ドラフトチャンバー１における雰囲気の外部への漏れの抑制の性能確保に役割を果たしている。
【００４４】
次に、図４を参照して、ファン３０と空気案内部材３１と整流部材４０について、説明する。
【００４５】
図４に示すように、空気案内部材３１の前端部３３内には、空気の整流手段としての整流部材４０が配置されている。この整流部材４０は、ファン３０からの空気を整流してプッシュエアーの均質化を行って矢印ＬＬで示す均質化された空気の気流を形成するための整流格子である。整流部材４０は、図４において空気案内部材３１の前端部３３内で、本体部２の左右幅方向（Ｘ方向）に沿って、好ましくは着脱可能に配置されている。この整流部材４０の好ましい構造例は、後で説明する。
【００４６】
図４に示すように、この整流部材４０の下流側の空気の通路は、ドラフトのエプロン部分（空気ロホイル部分）２２を通じて、ドラフト庫内１の作業面２１につながっている。また、図２と図３に示すように、背面部８の内側には、空気の排気経路部４４，４５，４６が設けられている。
【００４７】
図４に示すように、空気案内部材３１は、後端部３２と、前端部３３と、中間部３４を有している。この空気案内部材３１は、作業面２１の下部であって、本体部２の左右幅方向（Ｘ方向）に沿って形成されている。ファン３０は、空気案内部材３１の後端部３２に取り付けられている。
【００４８】
後端部３２のＺ方向の高さ寸法Ｓ１は、前端部３３のＺ方向の高さ寸法Ｓ２に比べて大きく設定されており、中間部３４は、後端部３２から前端部３３にかけて空間が細くなるように傾斜して形成されている。空気案内部材３１とファン３０は、作業面２１の下部に収容するようにして配置されているので、本体部２の前面側に突出して設けられておらず、本体部２の小型化が図れる。
【００４９】
図４に示すように、この後端部３２と中間部３４は、前端部３３に比べて内部容積が大きくなっており、ほぼ断面形状が三角形状に形成されていることから、この部分は、ファン３０が作り出した空気を、一時的に溜めるための空気溜まり３９として機能する。
【００５０】
ファン３０は、図１において破線の円形で例示するように、矢印Ｘ方向に沿って互いに間隔を空けて、例えば３つ設けられている。このファン３０の設定数は、任意に選択できる。このように、ファン３０が好ましくは３つ設けられるのは、次の理由からである。すなわち、ファン３０によりプッシュエアーの気流を発生させるものの、ドラフト庫内１９の本体部２の左右幅方向（矢印Ｘ方向）である間口に対して、多数の数のファンを設けることは、構造の複雑化やコスト面でも合理的ではない。
【００５１】
このために、本発明の実施形態では、ファン３０の設定数は、ドラフト庫内１９の本体部２の左右幅方向（Ｘ方向）に比較して少なくしている。また、低風量ドラフトチャンバー１であるという製品の性格上、ドラフト庫内１９から排気を行うための排気風量を大きくすることもできず、それに伴って空気の層流を発生させるための気流を大きな気流とはできず、必然的にファン３０の設定数は少なくて良い。
【００５２】
しかし、あまりに少ない設定数のファンでは、ファン近辺の位置での気流とファンから離れた位置での気流に差が出てしまい、結果的に作業面２１上に発生させたい層流の均質性に差が出てしまう。
【００５３】
本発明の実施形態の低風量ドラフトチャンバー１では、この点を解消するために、図１と図４に示す位置に整流手段としての整流部材４０を、ファン３０に対して空気の下流側に配置している。つまり、整流部材４０は、ファン３０と、作業面２１との間に設定されている。整流部材４０は、ファン３０から送られる空気を均一な気流にして、すなわち空気の均質化を本体部２の左右幅方向（Ｘ方向）に沿って図ることにより、結果的に作業面２１上で均質で安定した空気の層流が得られるようにしている。
【００５４】
図６は、図４と図５に示す整流部材４０の好ましい構造例を示している。図６（Ａ）は、整流部材４０を示す斜視図であり、図６（Ｂ）は、整流部材４０の形状の一部を示す正面図である。
【００５５】
図６に示すように、整流部材４０は、複数の六角形のハニカムから成るハニカム材であり、プッシュエアーを均質化するのに用いられる。このように、整流部材４０の構造例として六角形のハニカム構造を採用することにより、構造的に強度が見込め、組立時に加わる外力に対す変形についても強いというメリットがある。
【００５６】
次に、上述した低風量ドラフトチャンバー１の動作例を、図５を参照して説明する。
【００５７】
図示しない制御部が、図１と図４に示す３つのファン３０を駆動する。図５に示すように、３つのファン３０が発生する矢印Ｌで示す空気の気流は、空気案内部材３１の後端部３２から中間部３４において空気の空気溜まり３９で一度溜められる。
【００５８】
後端部３２と中間部３４から前端部３３に至るに従って、流路が先細りの断面形状になっているので、溜められた矢印Ｌで示す空気の気流は、前端部３３の整流部材４０に向けて流速を上げて送ることができ、流速を上げた矢印Ｌで示す空気の気流を整流部材４０に通過させることができる。
【００５９】
これにより、整流部材４０は、ファン３０から送られる流速を上げた矢印Ｌで示す空気を、均一（均質）な気流にして、矢印ＬＬで示す均質化した空気の気流を本体部２の左右幅方向（Ｘ方向）に関して供給することができる。その後、矢印ＬＬで示す均質化された空気の気流は、本体部２の前面部３のドラフトのエプロン部分（空気ロホイル部分）２２内を通って、上側の空気の分岐部５５に達する。
【００６０】
この空気の分岐部５５は、整流部材４０により整流して矢印ＬＬで示す均質化された空気の気流（層流気流）の一部を分岐して、作業面２１上に矢印ＬＬで示す層流を形成する気流と、ドラフト庫内１９の中央付近へのプッシュエアーの気流とに分岐する。なお、空気の分岐部５５は、折角発生させたプッシュエアーを分岐させて、作業面２１上に層流を形成する気流を減量させてしまうことになるが、分岐させてドラフト庫内１９の中央付近へ斜め上方にプッシュエアーを押し込むことにより、ドラフト庫内１９内の雰囲気が外部に漏れることを抑えることができる。
【００６１】
このように、図５において、整流部材４０により整流された空気の気流（層流気流）が、矢印ＬＬで示すように、作業面２１上に層流を形成するプッシュエアーとして送ることができる。これにより、作業者が実験や作業を行うための作業空間内に、空気を低風量ドラフトで通過させて、低風量ドラフトチャンバー１内の雰囲気が外部に漏れないようにすることができる。
【００６２】
また、図５に示すように、本体部２の前面部３からは、矢印Ｍで示すように、外部の空気をドラフト庫内１９内に、気流として取り込むことができる。作業面２１に沿って通過した矢印ＬＬで示す均質化された空気の気流と、ドラフト庫内１９内を通過した矢印Ｍで示す空気の気流は、図５と図３に示すように矢印Ｎで示す空気の気流をプルエアーとして、空気の排気経路部４４，４５，４６を通じて、本体部２の外部へ排気することができる。
【００６３】
整流部材４０の好ましい構造例としては、図６に示すように、好ましくは六角形のハニカム構造を採用している。これにより、整流部材４０の構造的に強度が見込め、低風量ドラフトチャンバー１に整流部材４０を組立てる時に加わる外力に対する変形についても強い。しかも、ハニカム構造は製造し易く、低風量ドラフトチャンバー１に用いるプッシュエアーを作る目的に沿った空気の整流を作るために、ハニカム材の厚みを容易に決定することができる。
【００６４】
整流部材４０のハニカム材の空気通過長さに関しては、ハニカム材を通過する風速は高くないので、ハニカム材の内部を空気が通過する距離が過剰に長いと空気の圧損が生じ易く、またハニカム材の内部を空気が通過する距離が極端に短いと空気の整流効果が薄れてしまい、層流形成に悪影響が出る。
【００６５】
図５に示すファン３０が作る空気のプッシュエアーは、空気溜まり３９で一時的に溜めた後に、整流部材４０に供給することができる。低風量ドラフトチャンバー１では、作業面２１に供給するプッシュエアーは風量を少なくする必要があるが、その理由は、低風量ドラフトチャンバー１の排気風量が少ないので、大きな量のプッシュエアーを供給できないためである。
【００６６】
そのため、ファン３０により生じるプッシュエアーの風速も大きくできないことから、ファン３０と整流部材４０との間のつながり部分を、ノズルのような空気案内部材３１の形状にして、少ない空気量であってもある程度のプッシュエアーの風速（流速）が得られるようにしている。ただし、この空気案内部材３１が空気を絞り過ぎると圧損になるし、絞り足らないと必要とするプッシュエアーの風速（流速）が得られない。
【００６７】
図７は、整流部材の別の実施形態を示している。
【００６８】
図７（Ａ）に示す整流部材４０Ａは、断面正方形の複数の整流穴を有し、図７（Ｂ）に示す整流部材４０Ｂは、断面正三角形の複数の整流穴を有し、図７（Ｃ）に示す整流部材４０Ｃは、断面形状が、いわゆる段ボール紙様の波形状の複数の整流穴を有している。あるいは、図６と図７に示す整流部材４０とは異なる形状の整流部材を採用しても良い。
【００６９】
図８は、整流部材４０の有無による整流効果を示すための実験によって得られたグラフである。整流部材４０が無い場合（図中、線Ｂ）には、ファン３０がある場所Ｆの風速が速く、ファン３０間では極端に風速が落ちているが、整流部材４０を設けることにより（図中、線Ａ）ファン３０の有無に関係なく、風速がほぼ一様となることがわかる。
【００７０】
本発明の実施形態の低風量ドラフトチャンバー１は、作業空間で作業を行うために、低風量の空気を前記作業空間に送る低風量ドラフトチャンバーであって、前記作業空間に空気を送るファンと、前記作業空間との間には、前記ファンからの空気を整流する整流手段が設けられている。これにより、作業者が実験や作業を行うための作業空間内に、空気を低風量ドラフトで通過させて、ドラフトチャンバー内の雰囲気が外部に漏れないようにすることができる。
【００７１】
作業空間は、作業面を有しているので、作業面における作業は、空気を低風量ドラフトで通過させた状態で行うことができる。
【００７２】
ファンと整流手段との間には、空気溜まりが設けられている。これにより、ファンが発生する空気の気流は、空気の空気溜まりで一度溜められた後、空気の気流の流速を上げて送ることができ、流速を上げた空気の気流を整流部材に通過させることができる。
【００７３】
整流手段は、ハニカム構造を有している。これにより、整流手段は、プッシュエアーを均質化するのに用いられる。整流手段の構造例として六角形のハニカム構造を採用することにより、構造的に強度が見込め、組立時に加わる外力に対す変形についても強い。
【００７４】
以上、実施形態を挙げて本発明を説明したが、各実施形態は一例であり、特許請求の範囲に記載される発明の範囲は、発明の要旨を逸脱しない範囲内で種々変更できるものである。
【００７５】
例えば、図４と図５に示す整流部材４０の配置例では、整流部材４０は、ファン３０に対して空気の下流側に配置され、空気案内部材３１のノズルの先端である前端部３３に配置されている。しかし、これに限らず、整流部材４０は、図５に示すように、ドラフトのエプロン部分（空気ロホイル部分）２２の途中の配置位置Ｐ１や配置位置Ｐ２に配置することも可能である。
【符号の説明】
【００７６】
１      低風量ドラフトチャンバー
２      本体部
３      前面部
１９    ドラフト庫内
２０    作業空間
２１    作業面
２２    ドラフトのエプロン部分（空気ロホイル部分）
３０    ファン
３１    空気案内部材
３９    空気溜まり
４０    整流部材（整流手段の例）
４４，４５，４６    空気の排気経路部
【図１】
2015009187.tif 000003
【図２】
2015009187.tif 000004
【図３】
2015009187.tif 000005
【図４】
2015009187.tif 000006
【図５】
2015009187.tif 000007
【図６】
2015009187.tif 000008
【図７】
2015009187.tif 000009
【図８】
2015009187.tif 000010